(57)【要約】【課題】  電気的手段を用いずメンテナンス容易に、雪庇を防止する。【解決手段】  離隔して配した少なくとも二本の縦材１１と、この縦材に掛け渡したネット１２と、各縦材の下端部に連設した水平材１６と、縦材と水平材を連絡する補強材１８を備える。水平材１６は、その長手寸法がパラペットから突出できる大きさであり、先端近傍にアンカー固定孔１７を備える。この雪庇防止ネットによれば、縦材１１の間に配したネット１２の網目が降り積もる雪を分断するので、雪の集合体である雪庇は形成されない。【選択図】    図１
2007291780.tif 000002
【特許請求の範囲】
【請求項１】
パラペットの天端に配設する雪庇防止ネットであって、
離隔して配した少なくとも二本の縦材と、
この縦材の間に配したネットと、
各縦材の下端部に連設した水平材と、
縦材と水平材とを連絡する補強材とを備え、
前記水平材は、
その長手寸法がパラペットから突出できる寸法であり、
先端近傍にアンカー固定孔を備えることを特徴とする雪庇防止ネット。
【請求項２】
縦材は、隣接する縦材同士を締結するためのネジ孔を備えることを特徴とする請求項１記載の雪庇防止ネット。
【発明の詳細な説明】
【技術分野】
【０００１】
本願発明は、建築物の屋上のパラペットに降雪が積もって形成される雪庇を防止するための器具に関する。
【背景技術】
【０００２】
図６に示すように、低層階ビルディングや無落雪住宅のように、屋根や屋上まわりにパラペット１を設けると、冬季の降雪でパラペット１に雪庇２ができる。雪庇２は、降雪とともに成長し、大きな雪の塊となるが、その重量が限界を超えると落下する。この被害は少なくない。歩行中の人間に対する被害も起きるし、隣接する家屋の屋根５や窓ガラスをにダメージを与えるし破損させる場合もあるからである。
【０００３】
雪庇を防ぐための技術は、従来から、いくつか提案されている。例えば、特許文献１、特許文献２のように、パラペットに電熱線（発熱体）を配するもの、特許文献３のように、パラペットに設けたワイヤをタイマによって上下駆動するものがある。
【特許文献１】特開平１１−１５９０８８号
【特許文献２】特開２００５−０１６１４４号
【特許文献３】特開２００２−２０６３５４号
【発明の開示】
【発明が解決しようとする課題】
【０００４】
問題は、電気的手段を用いた場合の信頼性とメンテナンスコストである。
特許文献１、特許文献２のようにパラペットに電気的な発熱体を設けることは雪庇を防止する有効な手段であるが、電気抵抗線の切断や接触不良による不具合が生じやすい。降雪地では厳しいマイナス気温が繰り返され、雪による重みがパラペットの天端にかかるためである。水の侵入による漏電の問題もある。また、発熱体（電気抵抗線）はパラペットの天端の金属板の下に設けられるため、メンテナンスコストもかさむことから、不具合が生じても修理を見合わせることも少なくないという事情がある。
【０００５】
かかる事情は、特許文献３も同じである。ワイヤロープを上下駆動すれば雪庇を切り落とすことは出来る。しかし、厳しいマイナス気温の降雪地域でワイヤロープを電気的に上下駆動する構成をとっても、正常な作動を長期的に保証することは難しい。雪、気温、水のいずれかによって電気系統に故障が生ずる可能性が高いからである。
【０００６】
そこで、本発明の目的は、電気的手段を用いることなく、メンテナンス容易に、雪庇を防止できるようにする点にある。
【課題を解決するための手段】
【０００７】
前記目的を達成するため、本発明は、パラペットの天端に配する雪庇防止ネットであって、離隔して配した少なくとも二本の縦材と、この縦材の間に配したネットと、各縦材の下端部に連設した水平材と、縦材と水平材を連絡する補強材を備え、前記水平材は、その長手寸法がパラペットから突出できる大きさであり、先端近傍にアンカー固定孔を備える。
【０００８】
この雪庇防止ネットを、パラペットの天端に配すると、縦材に掛け渡したネットの網目が降り積もる雪を分断するので、雪の集合体である雪庇は絶対に形成されない。ネットの網目に雪が付着することはあるが、網目を通過する風、あるいは風によるネットの振動により、雪庇が成長する前に雪は分断されて吹き飛ばされるからである。
【０００９】
請求項２のように、縦材に、隣接する縦材同士を締結するためのネジ孔を設ければ、パラペットの長手寸法に応じて、雪庇防止ネットを接続させて配置することが出来る。
【発明の効果】
【００１０】
本発明に係る雪庇防止ネットによれば、電気的手段を用いることなく、パラペットの雪庇を確実に防止することが出来る。この雪庇防止ネットは、パラペットの天端に配するので、ネットが破損する等の不具合発生時にも、簡単にメンテナンスが出来る。
【発明を実施するための最良の形態】
【００１１】
図１は、本発明に係る雪庇防止ネットの実施形態を示すものである。この雪庇防止ネットは、離隔して配した少なくとも二本の縦材１１と、この縦材１１の間に配したネット１２と、各縦材１１の下端部に連設した水平材１６とを備える。
【００１２】
水平材１６は、長手寸法がパラペットから突出する寸法に設計してあり、先端近傍にアンカー固定孔１７を備える。
【００１３】
また、縦材１１は、隣接する縦材同士を締結するためのネジ孔１４を適宜箇所に備える。この実施形態では、ネジ孔１４を縦材１１の左右側面に設けてあるが、金属バンドを使用して隣接する縦材１１を拘定する場合は、ネジ孔１４を正面（水平材１６を配する面）に設けてもよい。
【００１４】
縦材１１と水平材１６は、金属材を用いて略Ｌ字状を呈するように成形する。縦材１１と水平材１６は、例えばネジによって結合することができる。使用する金属材料としては、例えば、重量のある鉄を用いつつ表面に防錆コーティングを施すか、あるいはアルミニウム等の軽量難錆金属を用いる。
【００１５】
縦材１１に掛け渡すネット１２は、網目が、例えば３〜６ｃｍの金属ネットを使用する。金属ネットは、金属線に防錆処理を施しておけば耐久性に優れるからである。ネット１２は、縦材１１の上端近傍から下端に達するよう配する。
【００１６】
ネット１２は、配設固定がしやすいように、例えば、ネット１２の上下にアルミニウム等の難錆の金属材料を用いたフレーム材Ｆを設けておくことが望ましい。ネット１２の左右両側にもフレームＦを設けてよいことは勿論である。フレーム材Ｆがあれば、フレーム材Ｆの端部と縦材１１の側面をネジによって固定することが可能となる。
【００１７】
ネット１２は、例えば、上下寸法を４５ｃｍ、左右寸法を１８０ｃｍ程度のものを用いる。雪庇を防止するには、少なくとも上下寸法を２０ｃｍ以上とすることが望ましい。
【００１８】
縦材１１と水平材１６には、補強材１８を例えば斜めに掛け渡す。補強材１８は、金属または樹脂製の板材、棒材、管材、紐材（例えば線材やロープ）などを用いる。強風時にはネット１２に強い外力が働くため、縦材１１の基端部にかかる力を減らして縦材１１の基端部の変形や破損を防止するためである。
【００１９】
この雪庇防止ネットは、図２に示すように、縦材１１のネジ孔１４にネジＳを挿通して螺合させることによって、隣接する雪庇防止ネット同士を連結して横方向に足し増しすることが出来る。なお、必要に応じ、上方に増設して高さを稼いでも良い。また金属製のバンド（図示せず）を用いて縦材１１を強固に締結させることも出来る。
【００２０】
次に、この雪庇防止ネットをパラペットの天端に配設する場合を、図３を用いて説明する。４０はパラペットであり、その天端４１の上に、複数個を横方向に連結させた雪庇防止ネットの水平材１６を当接させて置く。
【００２１】
この状態で、水平材１６のアンカー固定孔１７に差し込んだアンカー部材４４の先端部を、屋上の適当箇所に設けたアンカー穴４６に差し込み、高さ調整を図った後、例えばアンカー穴４６にモルタル等の補修材を充填して固定する。屋上に設けるアンカー穴４６には、アンカー部材４４の先端を螺合させるシリンダー状の雌ねじを設けてもよい。アンカー穴４６は、水平材１６の離隔寸法が予めわかっているので、当該寸法に合わせて誤差なく設けることが出来る。
【００２２】
このような雪庇防止ネットをパラペット４０の天端４１に配すると、縦材１１に掛け渡したネット１２が雪を細かく切断するため、パラペット４０の上に雪庇が形成されることがなくなる。電力も不要であり、点検や補修も簡単である。
【００２３】
風が強い地域では、例えば図４に示すように、水平材１６の上にＨ鋼などの重量物Ｗを置いて、アンカー部材４４による固定状態を補強しても良い。重量物Ｗを置くことにより、強風時にもアンカー部材４４にかかる引張力が抑えられるので、アンカー部材４４の固定状態も長期にわたって良好に保つことが出来る。
【００２４】
なお、縦材１１と水平材１６に用いる金属材は、板材、棒材、管材など適宜のものを選択して使用できる。使用する場所との関係で、求められる強度が異なるため、製造コストや耐久性を勘案して選択することが望ましい。
【００２５】
縦材１１と水平材１６を別部材とする場合は、図５に示すように、略Ｌ字状の接続部材（アングル）３１を用いて、この接続部材３１にネジ３２を打ち込むことにより、縦材１１と水平材１６とを連結させることが出来る。
【００２６】
前記実施形態では、補強材１８は、縦材１１と水平材１６に掛け渡す旨説明したが、補強材は、縦材１１の変形を防止するものである。従って、縦材１１と水平材１６に密着させた適宜形状の板材を使用しても良い。この場合、風の影響や雪の停留を考慮すれば、板材には多数の孔を設ける等して、風や雪の影響を低減することが望ましい。
【００２７】
また前記実施形態では、ネット１２の網目の大きさを、３〜６ｃｍと説明したが、最小限１ｃｍ程度の網目でも雪を切断する効果はある。ただし、これ以上に網目が小さいと、暴風雪のときなどに網目に雪が詰まり易くなるので好ましくない。網目が５〜６ｃｍ以上でも効果はあるが、網目が１０ｃｍを越えると、網目の上下左右の雪同士が付着して大きな塊となり、降雪を完全に切断分離させることが困難になる場合も想定される。これは雪質、外気湿度、外気温度との相関であるが、国内で使用する場合は、網目を３〜６ｃｍ程度の寸法に設定することが望ましい。
【００２８】
ネット１２は、金属ネットに限定されない。剛性の高い樹脂繊維によって成形した樹脂製のネットを用いても金属ネットと同様の効果を得るからである。
【００２９】
縦材１１と水平材１６は、金属材を用いて略Ｌ字状を呈するよう一体成形する旨説明したが、樹脂材も使用できる。しかしながら、厳しい外気温変化に伴う劣化が懸念されるため、コストに遜色がない場合は金属材料を使用することが望ましい。
【００３０】
ネット１２の端部を縦材１１に固定する手段は限定されない。例えば、ネット１２の端面に当て板を被せ、この当て板を縦材１１にネジ固定してもよいし、縦材１１にスリットを設けてネット１２の端縁を挟み、ネジによってスリットを押圧しつつ締め固定してもよい。ネジを用いた定点固定でも良いが、部分的に強い力が働くと破損しやすい等の難点がある。その場合は、金属製ネットを用いることが望ましい。金属製ネットは、線材端部を縦材１１に絡めて確実に固定できるため当て板を使用する必要もないからである。
【図面の簡単な説明】
【００３１】
【図１】本発明に係る雪庇防止ネットの実施形態を示す斜視図である。
【図２】図１の雪庇防止ネットを横方向に接続させる場合を示す図である。
【図３】図１の雪庇防止ネットをパラペットに固定する場合を例示する図である。
【図４】図３の雪庇防止ネットに重量物を置いた場合を例示する図である。
【図５】本発明に係る雪庇防止ネットの他の実施形態を示す断面図である。
【図６】雪庇を例示する図である。
【符号の説明】
【００３２】
１１  縦材
１２  ネット
１４  ネジ孔
１６  水平材
１７  アンカー固定孔
１８  補強材
３１  接続部材
３２  ネジ
４０  パラペット
４１  天端
４４  アンカー部材
４６  アンカー穴
Ｆ  フレーム材
Ｗ  重量物
Ｓ  ネジ
【図１】
2007291780.tif 000003
【図２】
2007291780.tif 000004
【図３】
2007291780.tif 000005
【図４】
2007291780.tif 000006
【図５】
2007291780.tif 000007
【図６】
2007291780.tif 000008